(57)【要約】  【課題】  簡単な操作でユーザの思い通りにユーザ選択地点を選択することができ、ユーザ選択地点を選択するときの操作性を向上することのできる選択操作支援装置を提供する。  【解決手段】カーナビゲーション装置１は、入力デバイス２から入力されたスクロール方向を検知するスクロール方向検知部６と、検索エリアを作成する検索エリア作成部７と、ユーザ選択地点を決定する選択地点決定部９と、吸着スクロール処理を行う吸着スクロール処理部１１を備える。スクロール方向が検知されると、二つの領域画定ラインで挟まれスクロール方向が含まれる検索エリアが作成され、検索エリア内でポインタから最も近いＰＯＩがユーザ選択地点として決定され、そのユーザ選択地点をポインタに引き寄せる方向に地図がスクロールされる。【選択図】  図１
2008226101.tif 000002
【特許請求の範囲】
【請求項１】
画面上にポインタを固定的に表示するとともに、ユーザによって選択されるユーザ選択地点の候補となる選択地点候補を前記ポインタの周辺の地図とともにスクロール可能に表示する表示手段と、
入力手段から入力されたスクロール方向を検知するスクロール方向検知手段と、
前記ポインタから放射状に延びる二つの領域画定ラインで挟まれ、かつ、前記スクロール方向が含まれる検索エリアを作成する検索エリア作成手段と、
前記検索エリア内において前記ポインタから最も近い選択地点候補を、前記ユーザ選択地点として決定する選択地点決定手段と、
前記ユーザ選択地点を前記ポインタに引き寄せる方向に前記地図をスクロールさせる吸着スクロール処理を行う吸着スクロール手段と、
を備えたことを特徴とする選択操作支援装置。
【請求項２】
選択地点決定手段は、画面上に表示された範囲内の選択地点候補のうち、前記ポインタから最も近い選択地点候補を、前記ユーザ選択地点として決定することを特徴とする請求項１に記載の選択操作支援装置。
【請求項３】
前記スクロール方向検知手段が前記スクロール方向を検知しているときには、前記スクロール方向に前記地図をスクロールさせる地図スクロール処理が行われ、
前記スクロール方向検知手段が前記スクロール方向を検知しなくなったときに、前記吸着スクロール処理手段によって前記吸着スクロール処理が行われることを特徴とする請求項１または請求項２に記載の選択操作支援装置。
【請求項４】
前記二つの領域画定ラインで形成される前記検索エリアの中心角は、鋭角であることを特徴とする請求項１ないし請求項３のいずれかに記載の選択操作支援装置。
【請求項５】
画面上にポインタが固定的に表示されるとともに、ユーザによって選択されるユーザ選択地点の候補となる選択地点候補が前記ポインタの周辺の地図とともにスクロール可能に表示されており、前記地図をスクロールさせて前記ポインタで選択地点候補の中からユーザ選択地点を選択する操作を支援する方法において、
入力手段から入力されたスクロール方向を検知し、
前記ポインタから放射状に延びる二つの領域画定ラインで挟まれ、かつ、前記スクロール方向が含まれる検索エリアを作成し、
前記検索エリア内において前記ポインタから最も近い選択地点候補を、前記ユーザ選択地点として決定し、
前記ユーザ選択地点を前記ポインタに引き寄せる方向に前記地図をスクロールさせる吸着スクロール処理を行うことを特徴とする選択操作支援方法。
【請求項６】
画面上にポインタが固定的に表示されるとともに、ユーザによって選択されるユーザ選択地点の候補となる選択地点候補が前記ポインタの周辺の地図とともにスクロール可能に表示されており、前記地図をスクロールさせて前記ポインタで選択地点候補の中からユーザ選択地点を選択する操作を支援するプログラムにおいて、
コンピュータに、
入力手段から入力されたスクロール方向を検知する処理と、
前記ポインタから放射状に延びる二つの領域画定ラインで挟まれ、かつ、前記スクロール方向が含まれる検索エリアを作成する処理と、
前記検索エリア内において前記ポインタから最も近い選択地点候補を、前記ユーザ選択地点として決定する処理と、
前記ユーザ選択地点を前記ポインタに引き寄せる方向に前記地図をスクロールさせる吸着スクロール処理と、
を実行させることを特徴とする選択操作支援プログラム。
【発明の詳細な説明】
【技術分野】
【０００１】
本発明は、ポインタによる選択操作を支援する技術、特に、地図をスクロールさせてポインタでユーザ選択地点を選択する操作を支援する技術に関する。
【背景技術】
【０００２】
カーナビゲーション装置では、画面上に地図とともに各種の施設（レストランやコンビニエンスストア等）が表示される。ユーザは、画面に表示された地図上の施設を選択する操作を行う。例えば、ユーザは、走行予定ルートの目的地を設定する場合などに、地図上の施設を選択する操作を行う。
【０００３】
従来のカーナビゲーション装置では、地図上の施設を選択するときに、ユーザは、ジョイスティック等の方向入力デバイスを用いてカーソルを地図上で動かし、選択対象の施設にカーソルの位置を合わせる操作を行う。しかし、カーナビゲーション装置の画面には、選択対象である施設等が小さく表示されることが多く、選択対象の施設上に正確にカーソルの位置を合わせるのが困難であった。
【０００４】
そこで、従来、カーソルの位置合わせを支援するプログラムが提案されている（例えば、特許文献１参照）。この従来のプログラムでは、ユーザの入力操作を検知して、カーソルの移動方向及び移動距離を検知する。そして、移動方向に応じて所定の検索領域内の選択項目を検索し、その選択項目にカーソルを移動させる処理が行われる。
【特許文献１】特開２００４−３３４７１８号公報（第６−１１頁、第３−１０図）
【発明の開示】
【発明が解決しようとする課題】
【０００５】
しかしながら、従来のカーナビゲーション装置では、地図が画面に固定的に表示されており、固定された地図の範囲内でカーソルを動かすことにより施設の選択が行われる。したがって、特に画面外の施設を探す場合には、ユーザは地図スクロールという別の操作を行う必要があった。そのため、ユーザは地図スクロール操作とカーソル移動操作の二つの操作を行う必要があり、ユーザが施設を選択するときの操作性が低いという問題があった。
【０００６】
また、従来のカーナビゲーション装置では、半円状の検索領域が用いられている。具体的には、カーソルの位置を中心とした円形領域のうち、そのカーソルの移動方向側の半円部分（カーソルの移動方向から±９０度の範囲）を検索領域として用いている。そのため、例えば、ユーザは、入力操作した方向にある施設を選択したいにもかかわらず、ユーザの入力方向（カーソルの移動方向）から９０度ずれた方向にある施設まで、選択されてしまうことがある。このように、地図上の施設を選択する場合の方向分解能が低いので、ユーザが思い通りに施設を選択するのが難しく、ユーザが施設を選択するときの操作性が低いという問題があった。
【０００７】
本発明は、上記の課題に鑑みてなされたもので、簡単な操作で思い通りにユーザ選択地点を選択することができ、ユーザ選択地点を選択するときの操作性が高い選択操作支援装置を提供することを目的とする。
【課題を解決するための手段】
【０００８】
本発明の選択操作支援装置は、画面上にポインタを固定的に表示するとともに、ユーザによって選択されるユーザ選択地点の候補となる選択地点候補を前記ポインタの周辺の地図とともにスクロール可能に表示する表示手段と、入力手段から入力されたスクロール方向を検知するスクロール方向検知手段と、前記ポインタから放射状に延びる二つの領域画定ラインで挟まれ、かつ、前記スクロール方向が含まれる検索エリアを作成する検索エリア作成手段と、前記検索エリア内において前記ポインタから最も近い選択地点候補を、前記ユーザ選択地点として決定する選択地点決定手段と、前記ユーザ選択地点を前記ポインタに引き寄せる方向に前記地図をスクロールさせる吸着スクロール処理を行う吸着スクロール手段と、を備えている。
【０００９】
これにより、ユーザが入力したスクロール方向が検知されると、そのスクロール方向を含むように二つの領域画定ラインで挟まれた検索エリアが作成され、その検索エリア内でポインタから最も近い選択地点候補がユーザ選択地点として決定される。そして、吸着スクロール処理によって、そのユーザ選択地点がポインタに引き寄せられる。このように、スクロール方向の入力操作という一つの操作を行うだけで、ユーザは地図上のユーザ選択地点を簡単に選択することができる。したがって、ユーザ選択地点を選択するときの操作性が向上する。
【００１０】
また、本発明の選択操作支援装置では、選択地点決定手段は、画面上に表示された範囲内の選択地点候補のうち、前記ポインタから最も近い選択地点候補を、前記ユーザ選択地点として決定する。
【００１１】
これにより、画面内の選択地点候補がユーザ選択地点として決定される。画面外の選択地点候補がユーザ選択地点として決定されることがないので、画面外の選択地点候補にポインタが不意に引き寄せられるのが防止される。したがって、ユーザの思い通りに画面内の選択地点候補の中からユーザ選択地点を選択できる。
【００１２】
また、本発明の選択操作支援装置では、前記スクロール方向検知手段が前記スクロール方向を検知しているときには、前記スクロール方向に前記地図をスクロールさせる地図スクロール処理が行われ、前記スクロール方向検知手段が前記スクロール方向を検知しなくなったときに、前記吸着スクロール処理手段によって前記吸着スクロール処理が行われる。
【００１３】
これにより、ユーザが入力したスクロール方向が検知されている間は地図スクロール処理が行われる。したがって、吸着スクロールの影響を受けることなく、地図スクロールをスムーズに行うことができる。スクロール方向が検知されなくなると吸着スクロール処理が行われる。したがって、ユーザは、地図をスクロールさせたいときにはスクロール方向を入力しつづけ、ユーザ選択地点を選択したいときにはスクロール方向の入力を止める。このようにして、地図スクロールと吸着スクロールをユーザの思い通りのタイミングで切り替えて、ユーザ選択地点を簡単に選択することができる。
【００１４】
また、本発明の選択操作支援装置では、前記二つの領域画定ラインで形成される前記検索エリアの中心角は、鋭角である。
【００１５】
これにより、ユーザの入力したスクロール方向から９０度以上ずれた方向にある選択地点候補が、ユーザ選択地点として決定されることが防がれる。このように、従来に比べてユーザ選択地点を選択するときの方向分解能が高いので、ユーザが入力したスクロール方向にあるユーザ選択地点をユーザの思い通りに選択することができる。
【００１６】
本発明の選択操作支援方法は、画面上にポインタが固定的に表示されるとともに、ユーザによって選択されるユーザ選択地点の候補となる選択地点候補が前記ポインタの周辺の地図とともにスクロール可能に表示されており、前記地図をスクロールさせて前記ポインタで選択地点候補の中からユーザ選択地点を選択する操作を支援する方法において、入力手段から入力されたスクロール方向を検知し、前記ポインタから放射状に延びる二つの領域画定ラインで挟まれ、かつ、前記スクロール方向が含まれる検索エリアを作成し、前記検索エリア内において前記ポインタから最も近い選択地点候補を、前記ユーザ選択地点として決定し、前記ユーザ選択地点を前記ポインタに引き寄せる方向に前記地図をスクロールさせる吸着スクロール処理を行う。
【００１７】
この方法により、スクロール方向の入力操作という一つの操作を行うだけで、ユーザは地図上のユーザ選択地点を簡単に選択することができ、ユーザ選択地点を選択するときの操作性が向上する。
【００１８】
本発明の選択操作支援プログラムは、画面上にポインタが固定的に表示されるとともに、ユーザによって選択されるユーザ選択地点の候補となる選択地点候補が前記ポインタの周辺の地図とともにスクロール可能に表示されており、前記地図をスクロールさせて前記ポインタで選択地点候補の中からユーザ選択地点を選択する操作を支援するプログラムにおいて、コンピュータに、入力手段から入力されたスクロール方向を検知する処理と、前記ポインタから放射状に延びる二つの領域画定ラインで挟まれ、かつ、前記スクロール方向が含まれる検索エリアを作成する処理と、前記検索エリア内において前記ポインタから最も近い選択地点候補を、前記ユーザ選択地点として決定する処理と、前記ユーザ選択地点を前記ポインタに引き寄せる方向に前記地図をスクロールさせる吸着スクロール処理と、を実行させる。
【００１９】
このプログラムによって、スクロール方向の入力操作という一つの操作を行うだけで、ユーザは地図上のユーザ選択地点を簡単に選択することができ、ユーザ選択地点を選択するときの操作性が向上する。
【発明の効果】
【００２０】
本発明によれば、簡単な操作でユーザの思い通りにユーザ選択地点を選択することができ、ユーザ選択地点を選択するときの操作性が向上する。
【発明を実施するための最良の形態】
【００２１】
以下、本発明の実施の形態の選択操作支援装置について、図面を用いて説明する。本実施の形態では、ディスプレイに表示された地図上でＰＯＩ（Point of Interest、関心地点）の選択操作を支援する機能を有するカーナビゲーション装置の場合を例示する。この選択操作の支援機能は、カーナビゲーション装置のメモリやＨＤＤに格納されているプログラムによって実現される。
【００２２】
図１は、本実施の形態のカーナビゲーション装置の構成を示すブロック図である。図１に示すように、カーナビゲーション装置１は、ユーザが各種の入力操作を行う入力デバイス２と、ユーザに対して様々な情報を表示するディスプレイ３を備えている。
【００２３】
入力デバイス２は、ジョイスティック等で構成されており、方向入力機能を備えている。この入力デバイス２をユーザが操作することによって、地図のスクロール方向が入力される。ここでは、入力デバイス２が、本発明の入力手段に相当する。なお、入力デバイス２は、ジョイスティックに限られるものではなく、方向入力機能を備えているものであれば、他の如何なる入力デバイス２であってもよい。
【００２４】
図２は、ディスプレイ３の表示画面の一例を示した説明図である。図２に示すように、ディスプレイ３の画面には、鉤四角状のポインタと、ポインタ周辺の地図が表示される。このポインタは、地図のスクロールの有無にかかわらず、画面の略中央に固定的に表示されている。また、図２の例では、１０箇所のＰＯＩ「Ａ」〜「Ｊ」が、ポインタ周辺の地図に重畳して表示されている。ここでは、ＰＯＩが、本発明の選択地点候補に相当し、ディスプレイ３が、本発明の表示手段に相当する。
【００２５】
図１に示すように、カーナビゲーション装置１には、地図データを記憶する地図データベース４と、ＰＯＩデータを記憶するＰＯＩデータベース４が備えられている。ＰＯＩには、例えば、レストランやコンビニエンスストアなどの店舗や、映画館や病院などの施設などが含まれる。そして、ＰＯＩデータには、ＰＯＩの名称・住所・電話番号などの情報が含まれる（図６参照）。
【００２６】
また、カーナビゲーション装置１は、入力デバイス２から入力されたスクロール方向を検知するスクロール方向検知部６と、後述する検索エリアを作成する検索エリア作成部７を備えている。また、カーナビゲーション装置１は、検索エリア内のＰＯＩを検出するＰＯＩ検出部８と、検出したＰＯＩからユーザ選択地点を決定する選択地点決定部９を備えている。ここでは、スクロール方向検知部６が、本発明のスクロール方向検知手段に相当し、検索エリア作成部７が、本発明の検索エリア作成手段に相当する。また、選択地点決定部９が、本発明の選択地点決定手段に相当する。
【００２７】
図１に示すように、カーナビゲーション装置１は、ユーザが入力したスクロール方向に地図をスクロールさせる地図スクロール処理部１０と、ユーザ選択地点をポインタに（つまり画面の略中央に）引き寄せる方向に地図をスクロールさせる吸着スクロール処理部１１を備えている。このカーナビゲーション装置１は、ポインタを画面の略中央に固定したままで、地図をスクロールさせる機能を有している。そして、このカーナビゲーション装置１では、ユーザが入力したスクロール方向に地図をスクロールさせる地図スクロール処理と、ユーザ選択地点をポインタに（つまり画面の略中央に）引き寄せる方向に地図をスクロールさせる吸着スクロール処理という二種類のスクロール処理が行われる。この吸着スクロール処理部１１が、本発明の吸着スクロール処理手段に相当する。
【００２８】
以上のように構成されたカーナビゲーション装置１について、以下、その動作を説明する。ここでは、まず、図３〜図６を用いて、本発明の特徴である吸着スクロール処理の動作を説明する。
【００２９】
図３は、右下向きのスクロール方向が入力された様子を示す説明図である。図４は、検索エリアを作成する様子を示す説明図である。例えば、図３に示すように、ユーザが入力デバイス２を用いて右下向きのスクロール方向を入力すると、スクロール方向検知部６がそのスクロール方向（右下向きのスクロール方向）を検知する。
【００３０】
この場合、スクロール方向検知部６は、ユーザが入力したスクロール方向（右下方向）を直接的に検知する。なお、スクロール方向検知部６は、ユーザがスクロール方向を入力した結果、地図上におけるポインタの座標（ｘ，ｙ）が変移したときの変移量（Δｘ，Δｙ）からスクロール方向を間接的に検知してもよい。
【００３１】
スクロール方向が検知されると、図４に示すように、検索エリア作成部７が、そのスクロール方向を中心にして二つの領域画定ラインＬ１、Ｌ２で挟まれた検索エリアを作成する。図４に示した例では、検索エリアの中心角θは、約３０度である。なお、ここでは、スクロール方向を中心にして検索エリアを作成する場合を例示したが、スクロール方向を必ずしも中心にしなくてもよい。また、検索エリアの中心角が約３０度である場合を例示したが、検索エリアの中心角は鋭角（０度以上９０度未満）であれば、それ以外の角度であってもよい。
【００３２】
検索エリアが作成されると、ＰＯＩ検出部８が、検索エリア内のＰＯＩを検出する。図４の例では、検索エリア内かつ画面内のＰＯＩとして、「Ａ」「Ｂ」「Ｃ」の３箇所のＰＯＩが検出される。この場合、「Ｅ」〜「Ｊ」は、検索エリア外のＰＯＩであるので検出されない。また、「Ｄ」は、検索エリア内ではあるものの、画面に表示された範囲外のＰＯＩであるので検出されない。
【００３３】
そして、選択地点決定部９が、その中からユーザ選択地点を決定する。図４の例では、選択地点決定部９は、上記の３つのＰＯＩ「Ａ」〜「Ｃ」のうち、ポインタに最も近い「Ａ」をユーザ選択地点として決定する。このユーザ選択地点を決定する処理は、ユーザが選択しようとしているＰＯＩを推測している処理であるともいえる。
【００３４】
図５および図６は、吸着スクロール処理の説明図である。図５は、吸着前の様子を示す説明図であり、図６は、吸着後の様子を示す説明図である。ユーザ選択地点「Ａ」が決定されると、図５および図６に示すように、ユーザ選択地点「Ａ」をポインタ（画面の略中央）に引き寄せる吸着スクロール処理が行われれる。本実施の形態では、吸着スクロール処理が完了すると、ユーザ選択地点「Ａ」のＰＯＩデータが表示される（図６参照）。
【００３５】
つぎに、カーナビゲーション装置１を操作して複数のＰＯＩの中からあるＰＯＩ（ユーザ選択地点）を選択するときの動作の流れを、図７のフロー図を用いて説明する。
【００３６】
まず、カーナビゲーション装置１のディスプレイ３には、図２に示すような画面が表示されている（Ｓ１）。ユーザが入力デバイス２を用いて、関心のあるＰＯＩの方向（図３の例では右下向きの方向）をスクロール方向として入力すると、そのスクロール方向をスクロール方向検知部６が検知する（Ｓ２）。
【００３７】
スクロール方向が検知されると、図４に示すように、そのスクロール方向を中心として２本の領域画定ラインＬ１、Ｌ２で挟まれた検索エリアが作成される（Ｓ３）。そして、検索エリア内かつ画面内のＰＯＩが検出される（Ｓ４）。
【００３８】
検索エリア内かつ画面内のＰＯＩが検出されなかった場合には、ユーザが入力したスクロール方向に向けた地図スクロール処理が行われる（Ｓ５）。一方、検索エリア内かつ画面内のＰＯＩが検出された場合には、その中から最もポインタに近いＰＯＩ「Ａ」がユーザ選択地点として決定される（Ｓ６）。
【００３９】
そして、スクロール方向検知部６で、ユーザがスクロール方向の入力を停止したか否かが検知され（Ｓ７）、スクロール方向の入力の停止が検知された場合には、そのユーザ選択地点「Ａ」をポインタ（画面の略中央）に引き寄せる吸着スクロール処理が行われる（Ｓ８）。一方、スクロール方向の入力の停止が検知されない場合には、ユーザが入力したスクロール方向に向けた地図スクロール処理が行われる（Ｓ５）。
【００４０】
吸着スクロール処理が完了すると、そのユーザ選択地点「Ａ」のＰＯＩデータ（ＰＯＩの名称、住所、電話番号など）が表示される（Ｓ９）。
【００４１】
このような本実施の形態のカーナビゲーション装置１によれば、簡単な操作でユーザの思い通りにユーザ選択地点を選択することができ、ユーザ選択地点を選択するときの操作性が向上する。
【００４２】
すなわち、本実施の形態では、ユーザが入力したスクロール方向が検知されると、そのスクロール方向を含むように二つの領域画定ラインＬ１、Ｌ２で挟まれた検索エリアが作成され、その検索エリア内でポインタから最も近いＰＯＩである「Ａ」がユーザ選択地点として決定される。そして、吸着スクロール処理によって、そのユーザ選択地点「Ａ」がポインタに引き寄せられる。このように、スクロール方向の入力操作という一つの操作を行うだけで、ユーザは地図上のユーザ選択地点「Ａ」を簡単に選択することができる。したがって、ユーザ選択地点を選択するときの操作性が向上する。
【００４３】
つまり、入力デバイス２から入力されたスクロール方向に基づいて、地図上でユーザが選択しようとしているユーザ選択地点「Ａ」を推測し、推測したユーザ選択地点「Ａ」をポインタに引き寄せる。これにより、ユーザ選択地点「Ａ」を選択する操作が容易になる。
【００４４】
また、本実施の形態では、画面内のＰＯＩがユーザ選択地点として決定される。画面外のＰＯＩである「Ｄ」はユーザ選択地点として決定されることがない。したがって、画面外のＰＯＩにポインタが不意に引き寄せられるのが防止される。すなわち、ユーザの思い通りに画面内のＰＯＩの中からユーザ選択地点を選択でき、使い勝手が良好である。
【００４５】
また、本実施の形態では、ユーザが入力したスクロール方向が検知されている間は地図スクロール処理が行われる。したがって、吸着スクロールの影響を受けることなく、地図スクロールをスムーズに行うことができる。そして、スクロール方向が検知されなくなると吸着スクロール処理が行われる。したがって、ユーザは、地図をスクロールさせたいときにはスクロール方向を入力しつづけ、ユーザ選択地点を選択したいときにはスクロール方向の入力を止める。これにより、地図スクロールと吸着スクロールをユーザの思い通りのタイミングで切り替えて、ユーザ選択地点を簡単に選択することができる。
【００４６】
また、本実施の形態では、ユーザの入力したスクロール方向から９０度以上ずれた方向にある選択地点候補「Ｇ」〜「Ｊ」が、ユーザ選択地点として決定されることがない。この場合、検索エリアがスクロール方向を中心として作成されて、検索エリアの中心角θは約３０度である。したがって、ユーザの入力したスクロール方向から約１５度以上ずれた方向にある選択地点「Ｅ」「Ｆ」も、ユーザ選択地点として決定されることがない。このように、従来に比べてユーザ選択地点を選択するときの方向分解能が高いので、ユーザが入力したスクロール方向にあるユーザ選択地点をユーザの思い通りに選択することができる。
【００４７】
以上、本発明の実施の形態を例示により説明したが、本発明の範囲はこれらに限定されるものではなく、請求項に記載された範囲内において目的に応じて変更・変形することが可能である。
【００４８】
例えば、以上の説明では、ユーザが地図上でＰＯＩを選択する場合について例示したが、その他の２次元上（画面上）の項目選択を行う場合、例えば、画面上のメニュー項目を選択する場合に、本発明を用いることができる。
【産業上の利用可能性】
【００４９】
以上のように、本発明は、簡単な操作でユーザの思い通りにユーザ選択地点を選択することができ、ユーザ選択地点を選択するときの操作性が向上するという効果を有し、カーナビゲーション装置等に用いられ、有用である。
【図面の簡単な説明】
【００５０】
【図１】本実施の形態のカーナビゲーション装置のブロック図である。
【図２】ディスプレイの表示画面の説明図である。
【図３】ユーザが入力したスクロール方向の説明図である。
【図４】検索エリアの説明図である。
【図５】吸着スクロール処理（吸着前）の説明図である。
【図６】吸着スクロール処理（吸着後）の説明図である。
【図７】本実施の形態のカーナビゲーション装置の動作説明のためのフロー図である。
【符号の説明】
【００５１】
１  カーナビゲーション装置
２  入力デバイス
３  ディスプレイ
４  地図データベース
５  ＰＯＩデータベース
６  スクロール方向検知部
７  検索エリア作成部
８  ＰＯＩ検出部
９  選択地点決定部
１０  地図スクロール処理部
１１  吸着スクロール処理部
【図１】
2008226101.tif 000003
【図２】
2008226101.tif 000004
【図３】
2008226101.tif 000005
【図４】
2008226101.tif 000006
【図５】
2008226101.tif 000007
【図６】
2008226101.tif 000008
【図７】
2008226101.tif 000009